(57)【要約】      （修正有）【課題】モバイルアドホックネットワークの無線ノードに、外部ネットワークと接続できるようにＩＰアドレスを自動的に割り当てることができるようにした。【解決手段】無線ノードのホスト識別子を乱数によって生成し、ホスト識別子とネットワークアドレスからＩＰアドレスを生成する。該アドレスが、ネットワーク内の別のノードに割り当てられていなければ無線インターフェースのアドレスとして割り当てる。別のノードに割り当てられていれば異なるアドレスを更に生成する。外部インターフェースのアドレスは、無線インターフェースアドレスのホスト識別子と相関するように割り当てる。【選択図】図２
2007228578.tif 000002
【特許請求の範囲】
【請求項１】
無線ネットワーク内のノードを外部ネットワークとインターフェース接続するように構成するための自動化方法であって、
前記ノードのホスト識別子をランダムに決定するステップと、
前記ホスト識別子を用いて、前記ノードに関連した無線インターフェースのネットワーク・アドレスを作成するステップと、
前記ネットワーク・アドレスが、現在、前記無線ネットワーク内の別のノードに割り当てられていなければ、前記無線インターフェースに前記ネットワーク・アドレスを割り当てるステップと、
前記ノードに関連した外部インターフェースに別のネットワーク・アドレスを割り当てるステップと、を含み、前記外部インターフェースの前記ネットワーク・アドレスのサブネット識別子が、前記無線インターフェースの前記ネットワーク・アドレスのホスト識別子が相関することを特徴とする、
方法。
【請求項２】
さらに、前記ネットワーク・アドレスが、現在、前記無線ネットワーク内の別のノードに割り当てられている場合には、前記無線インターフェースのために異なるネットワーク・アドレスを生成するステップが含まれることを特徴とする、請求項２に記載の方法。
【請求項３】
さらに、前記ノードの前記外部インターフェースとサブネットワークを共用する１つ以上のネットワーク装置に対してさらなるネットワーク・アドレスを割り当てるステップが含まれることを特徴とする、請求項１に記載の方法。
【請求項４】
さらなるネットワーク・アドレスのサブネット識別子が、前記無線インターフェースに関する前記ネットワーク・アドレスのホスト識別子と相関するように、前記さらなるネットワーク・アドレスを割り当てることを特徴とする、請求項３に記載の方法。
【請求項５】
前記無線インターフェースの前記ネットワーク・アドレス及び前記外部インターフェースの前記ネットワーク・アドレスが、さらに、ＩＰアドレスとして定義されることを特徴とする、請求項１に記載の方法。
【請求項６】
前記外部インターフェースが、さらに、前記ノードに関連したイーサネット・ポートとして定義されることを特徴とする、請求項１に記載の方法。
【請求項７】
さらなるネットワーク・アドレスを割り当てるステップで、前記ノードに存在する動的ホスト構成プロトコルが用いられることを特徴とする、請求項３に記載の方法。
【請求項８】
無線ネットワーク内のノードを外部ネットワークとインターフェース接続するように構成するための自動化方法であって、
前記ノードに関連した無線インターフェースにネットワーク・アドレスを割り当てるステップと、
前記ノードに関連した外部インターフェースに別のネットワーク・アドレスを割り当てるステップと、
前記ノードの前記外部インターフェースとサブネットワークを共用する１つ以上のネットワーク装置にさらなるネットワーク・アドレスを割り当てるステップと、を含み、前記さらなるネットワーク・アドレスが、前記無線インターフェースの前記ネットワーク・アドレスと対応付けられていることを特徴とする、
方法。
【請求項９】
ネットワーク・アドレスを割り当てるステップに、さらに、
乱数を発生するステップと、
前記乱数を用いて、前記ネットワーク・アドレスを生成するステップと、
一致するネットワーク・アドレスを求めて、前記無線ネットワーク内の他のノードを探査するステップと、
前記ネットワーク・アドレスが、現在、前記無線ネットワーク内の別のノードに割り当てられていなければ、前記無線インターフェースに前記ネットワーク・アドレスを割り当てるステップと、を含むことを特徴とする、
請求項８に記載の方法。
【請求項１０】
さらに、前記ネットワーク・アドレスが、現在、前記無線ネットワーク内の別のノードに割り当てられている場合には、異なるネットワーク・アドレスを生成するステップが含まれることを特徴とする、請求項９に記載の方法。
【請求項１１】
外部インターフェースに関する前記ネットワーク・アドレスのサブネット識別子が、前記無線インターフェースに関する前記ネットワーク・アドレスのホスト識別子と相関するように、前記外部インターフェースに別のネットワーク・アドレスを割り当てることを特徴とする、請求項８に記載の方法。
【請求項１２】
さらなるネットワーク・アドレスのサブネット識別子が、前記無線インターフェースに関する前記ネットワーク・アドレスのホスト識別子と相関するように、前記さらなるネットワーク・アドレスを割り当てることを特徴とする、請求項８に記載の方法。
【請求項１３】
前記無線インターフェースに関する前記ネットワーク・アドレス、前記外部インターフェースに関する前記ネットワーク・アドレス、及び、前記さらなるネットワーク・アドレスが、さらに、ＩＰアドレスとして定義されることを特徴とする、請求項８に記載の方法。
【請求項１４】
前記外部インターフェースが、さらに、前記ノードに関連したイーサネット・ポートとして定義されることを特徴とする、請求項８に記載の方法。
【請求項１５】
さらなるネットワーク・アドレスを割り当てるステップで、前記ノードに存在する動的ホスト構成プロトコルが用いられることを特徴とする、請求項８に記載の方法。
【請求項１６】
アド・ホック・ネットワーク環境にある装置をインターフェース接続するための方法であって、
無線ネットワークの第１の無線ノードを第１の分離装置に近接して配置するステップと、
前記第１の無線ノードの外部インターフェースに前記分離装置を接続するステップと、
前記第１の分離装置にネットワーク・アドレスを割り当てるステップと、を含み、前記ネットワーク・アドレスが、前記無線ノードによって割り当てられ、前記第１の無線ノードの無線インターフェースに割り当てられたネットワーク・アドレスと対応付けられていることを特徴とする、
方法。
【請求項１７】
さらに、前記第１の無線ノードを介して、前記第１の分離装置から前記無線ネットワーク内の他の無線ノードへのデータ・パケットの経路選択を行うステップが含まれることを特徴とする、請求項１６に記載の方法。
【請求項１８】
さらに、前記第１の無線ノードを介して、前記無線ネットワーク内の他の無線ノードから前記第１の分離装置へのデータ・パケットの経路選択を行うステップが含まれることを特徴とする、請求項１６に記載の方法。
【請求項１９】
前記第１の分離装置が、さらに、独立型コンピューティング・デバイスまたはローカル・エリア・ネットワークのネットワーク経路選択装置として定義されることを特徴とする、請求項１６に記載の方法。
【請求項２０】
さらに、第２の分離装置に近接して第２の無線ノードを配置するステップと、前記第２の無線ノードの外部インターフェースに前記第２の分離装置を接続するステップと、前記第２の分離装置にネットワーク・アドレスを割り当てるステップと、を含み、前記ネットワーク・アドレスが、前記第２の無線ノードによって割り当てられ、前記第２の無線ノードの無線インターフェースに割り当てられたネットワーク・アドレスと対応付けられていることを特徴とする、請求項１６に記載の方法。
【請求項２１】
さらに、前記無線ネットワークを介して、前記第１の分離装置から前記第２の分離装置へのデータ・パケットの経路選択を行うステップが含まれることを特徴とする、請求項２０に記載の方法。
【請求項２２】
さらに、前記無線ノードのそれぞれに常駐するアド・ホック経路選択プロトコルを用いて、前記無線ネットワーク内の無線ノード間におけるデータ・パケットの経路選択を行うステップが含まれることを特徴とする、請求項１６に記載の方法。
【請求項２３】
さらに、
前記第１の無線ノードのホスト識別子をランダムに決定するステップと、
前記ホスト識別子を用いて、前記第１の無線ノードに関連した前記無線インターフェースのネットワーク・アドレスを作成するステップと、
前記ネットワーク・アドレスが、現在、前記無線ネットワーク内の別のノードに割り当てられていなければ、前記無線インターフェースに前記ネットワーク・アドレスを割り当てるステップと、を含むことを特徴とする、
請求項１６に記載の方法。
【請求項２４】
さらに、前記第１の無線ノードに関連した前記外部インターフェースに別のネットワーク・アドレスを割り当てるステップが含まれることと、前記外部インターフェースに関する前記ネットワーク・アドレスのサブネット識別子が、前記無線インターフェースに関する前記ネットワーク・アドレスのホスト識別子と相関していることを特徴とする、請求項１６に記載の方法。
【発明の詳細な説明】
【技術分野】
【０００１】
本開示は、モバイル・アド・ホック・ネットワークに関するものであり、とりわけ、外部ネットワークとインターフェース接続するように、無線ネットワークのノードを構成するための自動化方法に関するものである。
【背景技術】
【０００２】
今日の進化するモバイル・セキュリティの要件において、重要な問題は、センサ、監視カメラ、検出装置を小さい地理的位置に迅速に配備して、それらが収集するデータをモニタし、複数のコマンド及び制御エンティティにこのデータをリアルタイムに利用できるようにする、セキュリティ・センサの「コミュニティ」を形成する方法である。このモバイル・セキュリティ・センサのコミュニティによって、公共安全を強化し、交通システム及びインフラストラクチャを改善し、公共サービスの提供を向上させることが可能になる。こうしたモバイル・セキュリティの要件は、モバイル・アド・ホック・ネットワークを利用することによって満たすことが可能である。
【０００３】
モバイル・アド・ホック・ネットワークによって、コンピュータは、装置が互いに通信できるようにする、無線ピア・ツー・ピア接続の形成及びネットワークの形成が可能になる。ネットワーク内の各ノードは、ルータとして機能し、送信装置と受信装置との間におけるデータ・トラフィックを促進することが可能である。今日までに、いくつかの経路選択プロトコルによって、モバイル・アド・ホック・ネットワークの無線ノード間における経路選択問題をうまく解決することが可能になっている。さらに、一部の経路選択プロトコルでは、各ノードの無線インターフェースに関してＩＰアドレスの自動構成さえ考慮されている。しかし、既知のプロトコルには、無線ネットワーク内のノードと、無線ネットワーク外のネットワークに存在する装置とのギャップを埋めるための効率の良い方法が欠如している。無線イーサネット・インターフェースのＩＰアドレス割り当て、及び、クライアント装置のＩＰアドレス割り当てが手動で構成される。ネットワーク内で通信する２つの装置にとって、こうした経路選択構成は不可欠である。
【０００４】
従って、外部ネットワークの装置とインターフェース接続するように、無線ネットワークのノードを構成するための自動化方法を提供することが望ましい。このセクションにおける記述は、本開示に関連した背景情報を提供するだけのものであり、先行技術を構成するものではない場合もある。
【発明の開示】
【課題を解決するための手段】
【０００５】
ノードに、少なくとも１つの無線インターフェースと、外部ネットワークと接続するネットワーク・インターフェースが含まれている、無線ネットワークにおけるノードのアドレッシングを構成するための自動化及び分散方法が提供される。要するに、本方法には、ノードに関連した無線インターフェースに無線ネットワーク・アドレスを割り当てるステップと、外部インターフェースに関するネットワーク・アドレスのサブネット識別子が、無線ネットワークに関するネットワーク・アドレスのホスト識別子と相関するやり方で、ノードに関連した外部ネットワーク・インターフェースに別の外部ネットワーク・アドレスを割り当てるステップが含まれている。この方法には、さらに、ノードの外部ネットワーク・インターフェースと同じサブネットワークを共用する１つ以上のネットワーク装置に、さらなるネットワーク・アドレスを割り当てるステップを含むことが可能である。
【発明を実施するための最良の形態】
【０００６】
適用可能なさらなる分野については、本明細書に示される説明から明らかになるであろう。もちろん、説明及び具体例は、例証だけを意図したものであり、本開示の範囲を制限するように意図したものではない。
【０００７】
図１には、典型的なアド・ホック・ネットワーク環境８が例示されている。アド・ホック環境には、その中心に、モバイル無線ネットワーク１０が含まれている。無線ネットワーク１０は、一般に、無線接続によって互いに通信する働きをする複数の装置１２から構成されている。従って、無線ネットワークの各装置は、少なくとも１つの無線インターフェースを備えるように構成されている。これらの装置１２は、本明細書では、無線ネットワークのノードと称される。
【０００８】
無線ノード１２のいくつかは、さらに、無線ネットワーク１０の外部の装置と接続するための１つ以上のインターフェースを備えるように構成することが可能である。典型的な実施形態の場合、インターフェースは、外部装置との有線接続をサポートするイーサネット・ポートである。場合によっては、独立型コンピューティング・デバイス１４を無線ノードの外部インターフェースに直接接続することが可能である。場合によっては、別のローカル・エリア・ネットワーク１８のハブ（またはスイッチ）１６を無線ノード１２の外部インターフェースに接続することも可能である。以下の説明は、イーサネット・インターフェースに関連して行われるが、本開示によって他のタイプの外部インターフェースも検討されているのは容易に分ることである。
【０００９】
無線ノードは、現場監視のようないくつかのアド・ホック応用例において配備された装置間のアド・ホック・経路選択機能を提供することが可能である。アド・ホック方式で配備される場合、装置には、独立型のものもあれば、一方、分離ＬＡＮ構成をなすように互いに接続されるものもある。このシナリオの場合、無線ノードは、これらのタイプの装置を互いに相互接続する働きをする。無線ノードは、他の応用装置（例えば、カメラ）に一体化したり、あるいは、組み込むこともできるように構想されている。正しいアドレッシング方式は、このアド・ホック環境にある装置間におけるデータ・パケットの経路選択に不可欠である。第１に、無線経路選択ノードは、単一障害ポイントが生じないように、ＤＨＣＰサーバを利用せずに、分散式にアドレスを適正に割り当てられなければならない。第２に、無線ネットワーク外の装置のそれぞれも、全環境内で一意性のアドレスを割り当てられなければならない。
【００１０】
外部ネットワークとインターフェース接続するように、無線ネットワーク内のノードを構成するための自動化及び分散方法は、図２に関連してさらに説明される。無線ネットワークを結合するいかなるノードも、２２で示されるように、その無線インターフェースのネットワーク・アドレスを決定する必要はない。例証のため、ネットワーク・アドレスは、インターネット・プロトコル（ＩＰ）・アドレスであるが、本開示によって、他のネットワーク・アドレス方式も検討されている。ネットワーク内の自己構成をサポートするため、無線ネットワーク内の無線インターフェースの全てによる利用に備えて、サブネット番号（例えば、１９２．１６８．Ａ．０／２４、ここで、Ａは１〜２５４の数である）が割り当てられる。各ノードは、利用可能なホスト番号を動的に決定し、次に、サブネット番号とホスト番号を組み合わせて、一意性のネットワーク・アドレスを作成することができる。
【００１１】
図３には、無線インターフェースにＩＰアドレスを動的に割り当てるための典型的な技法が例示されている。まず、３２で示されるように、１〜２５４の数Ｘがランダムに生成される。次に、３３で、ホスト識別子としてランダムに生成された数を利用して、ＩＰアドレスが生成され、その結果、仮ＩＰアドレス（例えば、１９２．１６８．Ａ．Ｘ）が生じる。一意性アドレス割り当てを確実にするため、一致するアドレスを求めて、無線ネットワ−ク内の他のノードが探査される。そうするため、ステップ３４、３５、及び、３６で示すように、決定問合せがネットワークで複数回にわたって伝搬される。そのネットワーク・アドレスが、現在、別のノードに割り当てられている場合、このプロセスが反復される。そのネットワーク・アドレスが、現在、別のノードに割り当てられていない場合には、要求ノードによって利用することが可能である。このプロセスは、ある特定ノードに関連した各無線インターフェース毎に反復できるように構想されている。
【００１２】
引き続き図２を参照すると、次に、２４において、ネットワーク・アドレスが結合ノードに関連したイーサネット・インターフェースに割り当てられる。イーサネット・アドレスの割り当てられたサブネット番号は、無線インターフェースのネットワーク・アドレスと１対１写像関係を有している。例えば、無線インターフェース・アドレスのホスト識別子は、イーサネット・アドレスのサブネット識別子として割り当てられる。換言すると、イーサネット・インターフェースのＩＰアドレスは、１０．Ａ．Ｘ．１として割り当てられるが、ここで、Ｘは無線インターフェースのＩＰアドレスに見られるのと同じホスト識別子である。本開示によって、イーサネット・アドレスについて識別されるサブネットと無線インターフェース・アドレスのホスト識別子を一意的に相関させるための他の方法も検討されている。ネットワーク内の各無線インターフェースは、上述の一意性ホスト識別子を有しているので、これによって、２つのイーサネット・インターフェースに同じＩＰアドレスが割り当てられることはないという保証が得られる。
【００１３】
２６に示すように、結合ノードは、さらに、ノードのイーサネット・インターフェースとサブネットワークを共用する１つ以上のネットワーク装置に対してネットワーク・アドレスを割り当てることも可能である。換言すると、結合ノードは、イーサネット・インターフェースに直接接続する独立型コンピューティング・デバイス、または、イーサネット・インターフェースに接続されたローカル・エリア・ネットワーク内のネットワーク装置（例えば、イーサネット・ハブまたはスイッチ）にネットワーク・アドレスを割り当てることが可能である。これらのアドレスの自動割当てを行うため、結合ノードは、イーサネット・ネットワークで働く動的ホスト構成プロトコル（ＤＨＣＰ）・サーバをなすように構成することが可能である。
【００１４】
結合ノードによって割り当てられるネットワーク・アドレスは、その無線インターフェースに割り当てられたネットワーク・アドレスと対応づけられたままである。引き続き上述の例に言及すると、ＤＨＣＰサーバは、１０．Ａ．Ｘ．２〜１０．Ａ．Ｘ．２５４の範囲のＩＰアドレスを割り当てるが、ここで、Ｘは無線インターフェースのＩＰアドレスに見られるホスト識別子である。ＤＨＣＰサーバは、また、接続された装置に対し、そのサブネットマスクとして、２５５．２５５．２５５．０を利用し、その同報通信アドレスとして１０．Ａ．Ｘ．２５５を利用し、ルータ／ゲートウェイ・アドレスとして１０．Ａ．Ｘ．１を利用すべきであると勧める。これらの外部ネットワーク・アドレスのサブネット識別子は、ノードの無線インターフェースに関するホスト識別子と相関しており、無線インターフェースに割り当てられたホスト識別子は、無線ネットワークを通じて一意的に決定されるので、異なる無線ノードに接続するどの２つのサブネットにも、異なるサブネット識別子が割り当てられることになり、従って、これらのサブネットに存在する２つの装置が、同じネットワーク・アドレスを備えることにはならないようになっている。明確にするため、このように構成されたノードは、下記において外部経路選択ノードと称することにする。
【００１５】
動作時、データ・パケットは、無線ノードのそれぞれに常駐するアド・ホック・プロトコル（例えば、ＬＵＮＡＲ、ＡＯＤＶ、ＤＳＲ等）を用いて無線ノード間で経路選択される。データ・パケットは、外部経路選択ノードを介して、無線ネットワーク内のノードから、外部経路選択ノードの外部インターフェースを介してアクセス可能な装置への経路選択を施すことも可能である。同様に、データ・パケットは、外部経路選択ノードを介して、これらの外部装置から無線ネットワークの他のノードへの経路選択を施すことが可能である。さらに、２つ以上の無線ノードは、外部経路選択ノードとして構成することができるので、データ・パケットは、無線ネットワークを介して、１つの外部ネットワークの装置からもう１つの外部ネットワークに存在する装置への経路選択を施すことが可能である。
【００１６】
通常の経路選択モードの場合、外部経路選択ノードは、その外部インターフェースを介してアクセス可能な装置にネットワーク・アドレスが割り当てられていないものと仮定する。従って、外部経路選択ノードは、そのＤＨＣＰサーバ及び上述のメカニズムを利用して、これらの装置にネットワーク・アドレスを割り当てる。すなわち、外部経路選択ノードの無線インターフェースに関するＩＰアドレスは、１９２．１６８．Ａ．Ｘとして自己構成され、イーサネット・インターフェースに関するＩＰアドレスは、１０．Ａ．Ｘ．１として自己構成される。外部経路選択ノードに関する省略時ゲートウェイは、無線インターフェース１９２．１６８．Ａ．Ｘに設定される。これは、全ての経路選択要求が、ノードに存在する適用可能なアド・ホック経路選択アルゴリズムによって処理されることになるという意味である。外部経路選択ノードは、ＩＰアドレス１９２．１６８．Ａ．Ｘ及び１０．Ａ．Ｘ．１を決定できることを主張するだけでなく、サブネット内の全てのＩＰアドレス１０．Ａ．Ｘ．０／２４を決定できることも主張するので、１９２．１６８．Ａ．Ｘ、１０．Ａ．Ｘ．０／２４に対する全ての決定要求が、要請ノードに対して肯定的に返されることになる。
【００１７】
例えば、図４に示すように、アドレス１０．Ａ．Ｘ．１８を有する装置４１が、別のサブネットにおけるアドレス１０．Ａ．Ｙ．２１を有する装置４２との通信を必要としている。装置４１は、まず、ＤＨＣＰプロセス中に得られる省略時ゲートウェイ設定に従って、そのローカル無線経路選択ノード４４にデータ・パケットを送る。無線経路選択ノード４４は、その外部インターフェースに関して１０．Ａ．Ｘ．１アドレスを有し、その無線インターフェースに関して１９２．１６８．Ａ．Ｘアドレスを有している。次に、第２の無線経路選択ノード４６が、宛先装置４２に関する経路選択返答を送る。第２の無線経路選択ノード４６は、その外部インターフェースに関して１０．Ａ．Ｙ．１アドレスを有し、その無線インターフェースに関して１９２．１６８．Ａ．Ｘアドレスを有している。従って、データ・パケットは、第１の無線経路選択ノードから第２の無線ノードに送られ、そこから、さらに、宛先装置４２に送られる。
【００１８】
あるいはまた、外部経路選択ノードの外部インターフェースを介してアクセス可能な装置に、ネットワーク・アドレスが既に割り当てられている場合、外部経路選択ノードは、ゲートウェイ・モードで機能することが可能である。ゲートウェイ・モードの場合、外部経路選択ノードは、その無線インターフェース・アドレスを上述のように決定する。しかし、その外部インターフェースに関するネットワーク・アドレスは、手動で構成されるか、または、外部ネットワークに存在するＤＨＣＰサーバによって割り当てられる。ゲートウェイ・モードの場合、外部経路選択ノードに存在するＤＨＣＰサーバ自体が働いているわけではない。
【００１９】
図５を参照すると、無線経路選択ノード５２に接続されたローカル・エリア・ネットワーク５１は、さらに、もう１つのネットワーク５３（例えば、インターネット）に接続することが可能である。この例の場合、無線経路選択ノード５２のイーサネット・インターフェースは、ＬＡＮ５１に存在する外部ＤＨＣＰサーバ５５からの割り当てによって、Ｅ．Ｆ．Ｇ．Ｈとして構成することが可能である。ＬＡＮ５１におけるもう１つの装置５４は、ＤＨＣＰサーバ５５によって、ＬＡＮ５１を他のネットワーク５３に接続する省略時ルータとして機能するように構成される。ＬＡＮ５１のサブネット識別子にとって必須条件の１つは、１０．Ａ．０．０／１６の接頭語も、１９２．１６８．Ａ．０／２４の接頭語も備えてはならないということである。
【００２０】
アドレス１０．Ａ．Ｘ．１８を有する装置５６が、インターネットでアドレス１５０．１．１．２１を有する装置５７と通信しなければならない場合、データ・パケットは次のように経路選択される。まず、送信元装置５７が、ＤＨＣＰプロセス中に得られる省略時ゲートウェイ設定に従ってそのローカル無線ルータ５８（１０．Ａ．Ｘ．１）にパケットを送る。ローカル無線ルータ５８は、宛先装置に関する経路選択要求を送る。次に、ゲートウェイ・モードで動作している第２の無線ノード５２が、宛先装置に関する経路選択返答を送る。第２の無線ノード５２は、その外部アドレスに関するＥ．Ｆ．Ｇ．Ｈアドレスと、その無線インターフェースに関する１９２．１６８．Ａ．Ｙアドレスを有している。従って、データ・パケットは、第１の無線経路選択ノード５８から第２の無線経路選択ノード５２に転送され、そこから、さらに、そのアドレスがＥ．Ｆ．Ｇ．Ｌである上位ルータ５４に転送される。データ・パケットは、さらに、上位ルータ５４によって宛先装置５７に転送される。
【００２１】
上述の自動化技法によって、監視センサ、並びに、多くの異なる用途に適したスケーラブル・モバイル・アーキテクチャの他の装置を接続するためのインテリジェント無線ネットワークが生成される。それは、自己構成、自己発見、及び、自己編成する監視センサのモバイル・コミュニティをサポートするために利用することも可能である。こうしたネットワークは、冗長性で、フォールト・トレラントとすることが可能である。ルータのどれかが故障しても、コミュニティ内の他のルータが、機能し続けて、その故障箇所周辺におけるトラフィックの再経路選択を行うことになる。さらに、この解決法によって、アド・ホック装置はネットワークに加わったり、ネットワークから外れたりすることが可能になる。例えば、無線ネットワークに入る認証装置は、追加ビデオまたはモーション・センサのような、セキュリティ機構及び機能性を追加することが可能である。
【００２２】
以下の説明は、事実上、単なる典型となるものであり、本開示、応用例、または、用途を制限することを意図したものではない。
【図面の簡単な説明】
【００２３】
【図１】典型的なモバイル・アド・ホック・ネットワークのダイアグラムである。
【図２】無線ネットワーク内のノードを外部ネットワークとインターフェース接続するように構成するための自動化方法を例示したフローチャートである。
【図３】無線ノードの無線インターフェースにＩＰアドレスを動的に割り当てるための技法を例示したフローチャートである。
【図４】本開示の原理に従って、１つのサブネットからもう１つのサブネットにデータ・パケットの経路選択を行うことができる方法を例示したダイアグラムである。
【図５】本開示の原理に従って、１つのサブネットからもう１つのサブネットにデータ・パケットの経路選択を行うための代替技法を例示したダイアグラムである。
【００２４】
本明細書に示す図面は、例証だけを目的としたものであり、本開示の範囲を制限することを意図したものではない。
【符号の説明】
【００２５】
８  アド・ホック・ネットワーク環境
１０  モバイル無線ネットワーク
１２  無線ノード
１４  独立型コンピューティング・デバイス
１６  ハブ
１８  ローカル・エリア・ネットワーク
４１  装置
４２  宛先ノード
４４  無線経路選択ノード
４６  第２の無線経路選択ノード
５１  ローカル・エリア・ネットワーク
５２  第２の無線経路選択ノード
５３  ネットワーク
５４  上位ルータ
５５  外部ＤＨＣＰサーバ
５７  装置
５８  ローカル無線ルータ
【図１】
2007228578.tif 000003
【図２】
2007228578.tif 000004
【図３】
2007228578.tif 000005
【図４】
2007228578.tif 000006
【図５】
2007228578.tif 000007
【外国語明細書】
2007228578.tif 000008
2007228578.tif 000009
2007228578.tif 000010
2007228578.tif 000011
2007228578.tif 000012
2007228578.tif 000013
2007228578.tif 000014
2007228578.tif 000015
2007228578.tif 000016
2007228578.tif 000017
2007228578.tif 000018
2007228578.tif 000019
2007228578.tif 000020
2007228578.tif 000021
2007228578.tif 000022
2007228578.tif 000023
2007228578.tif 000024
2007228578.tif 000025
2007228578.tif 000026
【図１】
2007228578.tif 000027
【図２】
2007228578.tif 000028
【図３】
2007228578.tif 000029
【図４】
2007228578.tif 000030
【図５】
2007228578.tif 000031